(57)【要約】【課題】薄型表示装置の関連機器である電子機器を載置するための部材を備えるラックであって、薄型表示装置を壁に支持するための装置に対して簡単に取り付けることができ、床面に接して設置する必要がないことで一層の省スペースを図ることができ、かつ薄型表示装置を壁面に取り付ける際にできるだけ壁に傷をつけないで済むラックを提供する。【解決手段】薄型表示装置の裏面にて薄型表示装置を壁面に対して支持する支持装置に懸架されるように構成されたラックであって、前記支持装置に懸架状態で取付けられ懸架位置から支持装置下方に向かって配置するように構成されたアーム部と、アーム部下方に配置され、前記薄型表示装置と接続される電子機器を載置するための載置部とを有するラックを提供する。【選択図】図１
2011248034.tif 000002
【特許請求の範囲】
【請求項１】
薄型表示装置の裏面にて薄型表示装置を壁面に対して支持する支持装置に懸架されるように構成されたラックであって、
前記支持装置に懸架状態で取付けられ懸架位置から支持装置下方に向かって配置するように構成されたアーム部と、
アーム部下方に配置され、前記薄型表示装置と接続される電子機器を載置するための載置部と、を有するラック。
【請求項２】
アーム部は断面が背面側に開放されたコの字形状を有する中空柱状をなし、前記中空柱状の内部に前記薄型表示装置と接続される電子機器の配線を収納可能に構成されている請求項１に記載のラック。
【請求項３】
前記アーム部の表面側の前記載置部近くに前記配線を導出するための導出口を有する請求項２に記載のラック。
【請求項４】
前記アーム部は、支持装置に懸架された状態で前記壁面にならうように懸架領域から壁にむかうように奥側に曲がっている請求項１から３のいずれか一に記載のラック。
【請求項５】
前記アーム部は長さを調整するための長さ調整手段を有する請求項１から４のいずれか一に記載のラック。
【発明の詳細な説明】
【技術分野】
【０００１】
本発明は、薄型表示装置の支持装置に懸架されるラックに関する。
【背景技術】
【０００２】
薄型テレビジョン装置をはじめとする薄型表示装置の分野においては、当該装置が持つ薄型で軽量という特徴を生かして、いわゆる壁掛け型の装置が普及しつつある。薄型表示装置自体も省スペースを図ることを目的としたものであるが、さらに、壁掛け型の薄型表示装置はいわゆる床置き型の薄型表示装置に比べ、省スペースをさらに図ることができ、また、見た目もより一層すっきりさせることができる。
薄型表示装置は一般にその関連機器である電子機器（以下単に「電子機器」ということがある）と接続して使われることが多く、例えば薄型テレビジョン装置の場合であれば、ビデオテープレコーダ、ＨＤＤレコーダ、ＤＶＤレコーダ、ＢＳチューナ、オーディオ装置等のＡＶ機器と接続されて使用される。このため、これらの電子機器も薄型表示装置の近傍に設置される必要がある。
従来、薄型表示装置の関連電子機器は、床置き型の薄型表示装置の場合であれば、例えば、これら電子機器用の床置き式のシステムラックを設けて、ここに薄型表示装置自体を直接載置して取り付けるとともに、当該システムラックに電子機器を載置するようにしていた。また、壁掛け式の薄型表示装置の場合においては、例えば、薄型表示装置を取り付けるための壁掛け用のラックに棚板を設けてここに電子機器を載置するようにしていた。例えば、特許文献１には、縦・横のフレームを備え、このうちの横フレームに薄型テレビを吊り下げることができるようにした薄型テレビ壁掛け用ラックであって、横フレームの下方付近において縦フレームに棚板を設けてここに電子機器を載置できるようにした薄型テレビ壁掛け用ラックが開示されている（特許文献１、特に図６参照）。
【先行技術文献】
【特許文献】
【０００３】
【特許文献１】特開２００９−２９６２０１号公報
【発明の概要】
【発明が解決しようとする課題】
【０００４】
特許文献１（図６）に記載のラックにおいて電子機器を載置するための棚板はラックに固定的に取り付けられる。また、当該ラックは、その縦フレームが床面に達するように設置されるものであり、当該ラックを設置する際には、縦フレーム、横フレーム、底板（縦フレームの下部の床面に接する面に設けられる）、化粧パネルが組み付けられた支持パネルを壁面に沿って床に立て掛け、ネジで壁面に直接固定するようにされる（同文献段落００２７参照）。
しかしながら、このような構成の従来のラックには以下のような問題があった。
即ち、第一に、棚板をラックに固定的に取り付けるものであるため、棚板を簡単にラックに取り付けたり取り外したりすることや棚板の取り付け位置を変更したりすることは容易ではない。
また、第二に、ラックが床に直接置かれるものであるため、そのための床面スペースが必要となり、省スペースの点で不十分であるという問題があった。特に、棚板の下側は電子機器を置くスペースとしては何ら用いられることはないにもかかわらず、縦フレームが一定のスペースを占めてしまうため、この部分には他の家具等を置くことも困難であった。つまり、このような構成では、せっかく薄型表示装置自体を壁掛け型としたにもかかわらず、結局ラックを含めた全体構造としては床置き型にしたのと大同小異ということになっていまい、壁掛け型のメリットである省スペースの意義が減殺されてしまうという問題があった。
また、第三に、床面まで達するラック全体を壁面に直接ネジ等で固定するものであるため、壁のかなりの部分に傷をつけてしまうという問題があった。
【０００５】
そこで、本発明の解決すべき課題は、薄型表示装置の関連機器である電子機器を載置するための部材を備えるラックであって、薄型表示装置を壁に支持するための装置に対して簡単に取り付けることができ、床面に接して設置する必要がないことで一層の省スペースを図ることができ、かつ薄型表示装置を壁面に取り付ける際にできるだけ壁に傷をつけないで済むラックを提供することにある。
【課題を解決するための手段】
【０００６】
以上の課題を解決するため、本発明では薄型表示装置の支持装置にラックを懸架するようにした。即ち、本発明のうち、第一の発明は、薄型表示装置の裏面にて薄型表示装置を壁面に対して支持する支持装置に懸架されるように構成されたラックであって、前記支持装置に懸架状態で取付けられ懸架位置から支持装置下方に向かって配置するように構成されたアーム部と、アーム部下方に配置され、前記薄型表示装置と接続される電子機器を載置するための載置部とを有するラックを提供する。また、第二の発明は、第一の発明を基礎として、アーム部は断面が背面側に開放されたコの字形状を有する中空柱状をなし、前記中空柱状の内部に前記薄型表示装置と接続される電子機器の配線を収納可能に構成されているラックを提供する。また、第三の発明は、第二の発明を基礎として、前記アーム部の表面側の前記載置部近くに前記配線を導出するための導出口を有するラックを提供する。また、第四の発明は、第一から第三のいずれか一の発明を基礎として、前記アーム部は、支持装置に懸架された状態で前記壁面にならうように懸架領域から壁にむかうように奥側に曲がっているラックを提供する。また、第五の発明は、第一から第四のいずれか一の発明を基礎として、前記アーム部は長さを調整するための長さ調整手段を有するラックを提供する。なお、上記の先行技術文献などにおいては薄型表示装置を壁面に支持する（取り付ける）ための装置全体を指して「ラック」と称する例も見られるが、本発明においては、薄型表示装置を壁に支持するための装置を「支持装置」と呼び、当該支持装置に懸架され電子機器を載置するための部分を「ラック」と呼んで区別する。
【発明の効果】
【０００７】
本発明により、薄型表示装置の関連機器である電子機器を載置するための部材を備えるラックであって、薄型表示装置を壁に支持するための装置に対して簡単に取り付けることができ、床面に接して設置する必要がないことで一層の省スペースを図ることができ、かつ薄型表示装置を壁面に取り付ける際にできるだけ壁に傷をつけないで済むラックを提供することが可能となる。
【図面の簡単な説明】
【０００８】
【図１】実施例１のラックの形状の一例を示す概念図
【図２】実施例１のラックの形状の一例を示す概念図
【図３】実施例1のラックの支持装置に対する懸架方法の一例を示す図
【図４】実施例1のラックの支持装置に対する懸架方法の一例を示す図
【図５】実施例1のラックの支持装置に対する懸架方法の一例を示す図
【図６】実施例１のラックの具体的実施例を示す図
【図７】実施例２のラックのアーム部の形状の一例を示す図
【図８】実施例３のラックのアーム部の形状の一例を示す図
【符号の説明】
【０００９】
０１０１      薄型表示装置（薄型テレビジョン装置）
０１０２      壁面
０１０３      電子機器
０１１０      ラック
０１１１      アーム部
０１１２      載置部
０１２０      支持装置
【発明を実施するための形態】
【００１０】
以下に、本発明の実施例を説明する。実施例と請求項の相互の関係は以下のとおりである。実施例１は主に請求項１などに関し、実施例２は主に請求項２、請求項３などに関し、実施例３は主に請求項４などに関し、実施例４は主に請求項５などに関する。なお、本発明はこれら実施例に何ら限定されるものではなく、その要旨を逸脱しない範囲において、種々なる態様で実施しうる。
【実施例１】
【００１１】
<概要>
本実施例のラックは、薄型表示装置の裏面にて薄型表示装置を壁面に対して支持する支持装置に懸架されるように構成されるラックであって、支持装置に取り付けられるためのアーム部と、薄型表示装置と接続される電子機器を載置するための載置部とを有するラックである。
<構成>
【００１２】
（全般）
はじめに、本実施例の表示装置の全般的な構成について説明する。
図１は、本実施例のラックの形状の一例を示す概念図である。このうち、（ａ）はラック等を側面から見た図であり、（ｂ）は正面から見た図である。図１（ａ）に示すように、本実施例の「ラック」０１１０（右上がり斜線で示す）は、支持装置０１２０に懸架されている。なお、図中支持装置に描かれている小さな矩形状の部分は、支持装置の各部材どうしを組み立てるためのビスの頭部等である。ラックは、自身を支持装置に取り付けられるための「アーム部」０１１１と薄型表示装置と接続される電子機器を載置するための「載置部」０１１２を有する。なお、ラックの支持装置に対する具体的な懸架方法については別図を用いて後述する。本図はとりあえず概略的理解のためにラックの外観形状の一例とラックの支持装置に対する概ねの位置関係を示したものである。従って、本図（ａ）においてラックのアーム部は全体が壁面にぴったり接しているように描かれているが、懸架方法によっては壁から離れて設置される場合もある（次に示す図２も同様である）。この点については後述の図３〜５などを用いて詳述する。
本図では薄型表示装置の一例として薄型テレビジョン装置０１０１がその裏面にて支持装置に取り付けられた状態で部屋などの壁面０１０２（左上がり斜線で示す）に支持されている状態が示されている。また、支持装置に懸架されたラックの載置部には薄型表示装置の関連機器である電子機器０１０３が載置されている状態が示されている。
【００１３】
図１（ｂ）は、（ａ）と同じく支持装置０１２０にラック０１１０が懸架された状態を正面から見たものである。ただし、本図では、ラックの外観形状と支持装置に対する位置関係を見やすくするために薄型表示装置および電子機器の図示を省略した。本図の例ではアームが二本備えられている例が示されている。また、本図の例ではラックの支持装置への懸架は、当該二本のアームを支持装置の構成部分である横フレーム０１２１に取り付ける形で行われている。
支持装置は、薄型表示装置を壁面に対して支持するためのものである。支持装置自体は公知のものを利用可能であり、また薄型表示装置の支持装置への取付け方法および支持装置の壁面への支持方法も、かかる公知の支持装置についての方法を用いればよい。例えば、非特許文献１（シャープ株式会社、壁掛け金具「ＡＮ−５２ＡＧ６」に関する「寸法図／壁掛け金具取付け時の寸法」、ＵＲＬ：ｗｗｗ.ｓｈａｒｐ．ｃｏ．ｊｐ／ｓｕｐｐｏｒｔ／ａｑｕｏｓ／ｄｏｃ／ｓｉｚｅ＿ｌｃ５２＿４６ｅｘ５．ｐｄｆ）には、かかる支持装置の一例として図１に示したものと同様の二本の縦フレームと二本の横フレームを長方形状に組み合わせた形状の壁掛け金具が開示されているところ、かかる支持装置を利用可能である。また、薄型表示装置への支持装置の取付け方法については、同文献に当該壁掛け金具への薄型テレビジョン装置の取付け方法として薄型テレビジョン装置の裏面に設けられたブラケットを支持装置の横フレームなどに直接ねじ止めする方法が開示されているので、これを利用可能である。さらに、支持装置の壁面への支持方法についても、同文献に開示されている支持装置を壁面に直接ねじ止めする方法を利用可能である。
薄型表示装置は、映像等のコンテンツをディスプレイに表示する機能を有する表示装置であって前後の厚みが薄いもの（概ね１０ｃｍ程度以下のもの）をいう。薄型表示装置の種類は問わないので、典型例である薄型テレビジョン装置のほか、チューナを備えていないモニター装置、コンピュータ端末装置など（いずれも薄型のものに限る）が挙げられる。
【００１４】
（ラック）
「ラック」は、本発明においては、薄型表示装置の関連機器である電子機器を載置するためのものである。「ラック」は、上述のように支持装置に取り付けられるための「アーム部」０１１１と、薄型表示装置と接続される電子機器を載置するための「載置部」０１１２を有し、アーム部を利用して支持装置に懸架することにより当該装置に取り付けられるように構成されている。このように構成されることで、本発明におけるラックは、従来のラックとは異なり支持装置に対して簡単に取り付けたり取り外したりすることができ、また、支持装置に対する取付け位置を簡単に変更したりすることができるという特徴を有するものとなっている。また、支持装置に懸架することで取り付けられるようにしたもう一つの効果として、ラックが床面まで達することがないため、ラックの下方において床面との間に空間を確保することが可能となっている。なお、支持装置自体は特許文献１に記載されているような床面まで達するものと床面まで達しないものの双方が考えられるところ、支持装置が床面まで達しないものの場合には、薄型表示装置、支持装置およびラックの下側には何も配置されていない（特許文献１における縦フレームすら配置されない）状態となるので、当該床部分の上に全く何もない空間を確保することができる。従って、ここに他の家具を置いたり、あるいは何もおかずに室内をよりすっきりした状態に保ったりすることも可能となり、省スペースをより好適に実現することが可能となる。また、図１からも明らかなように、ラックはあくまで支持装置に取り付けられ、壁に直接取りつけられることはないから、ラック自身が壁を傷つけることはない。従って、壁を傷つける要因としては、支持装置を壁に取り付ける際にねじ穴を設けるといったことに限られることとなる。
【００１５】
（アーム部）
「アーム部」は、ラック自身が支持装置に取り付けられるためのものであり、支持装置に懸架状態で取付けられ懸架位置から支持装置下方に向かって配置するように構成される。アーム部の形状は、例えば図１に示すような縦長の板状のものが考えられるが、支持装置に対して懸架状態で取り付けることが可能なものであれば、どのような形状であってもよい。
アーム部は支持装置に懸架されることができるように懸架用部位を有している。この部位はアーム部と一体に形成されたものであってもよいし、アーム部本体に別部材を取り付けたものであってもよい。懸架用部位の具体的形状・構造は、ラックがどのような懸架方法によって支持装置に懸架されるかに依存する。懸架方法に特に限定はないが、例えばアーム部の上端にフックを備え、当該フックを支持装置に設けられた横フレームなどに引っ掛けることによって懸架するという方法が用いられる。
【００１６】
次に「懸架位置から支持装置下方に向かって配置される」の意味について説明する。まず「懸架位置」とは、支持装置に対してアーム部が懸架される位置をいい、より具体的にはアーム部の懸架用部位が支持装置に対して懸架のために接している位置をいう。図１（ｂ）の例で言えば、アームの懸架用部位０１１１ａが支持部材の横フレーム０１２１に接している位置（概ね破線円０１０４で囲んだ位置）を指す。次に、「支持装置下方に向かって配置される」とは、アームが懸架位置を上端として文字通り支持装置の下の方に向かってぶらさがるように配置されるということであるが、ここでアームの下端の配置位置には、（１）支持装置の下端を超えてこれより下に配置される場合と、（２）支持装置の下端を超えずこれより上に配置される場合の両者が含まれ得る。（１）の場合は、図１（ｂ）に示した例のように、アーム部が支持装置の下端０１２２よりもさらに下に向かって伸びている場合である。（２）の場合は、図示は省略するが、アーム部の下端が支持装置の下端より下までは達しない場合であり、換言すれば、支持装置がラックより下まで伸びている場合である。その典型例は、支持装置が床面まで達している場合である。このように（１）、（２）のいずれの構成も本発明の技術的範囲に含まれるが、（１）の場合の方が（２）の場合に比べて床上のスペースをより広く確保でき、また支持装置を壁に支持するために壁に傷をつける部分が少なくて済むので、かかる観点からは（１）の方が好適であるといえる。
【００１７】
（載置部）
「載置部」は、アーム部下方に配置され、前記薄型表示装置と接続される電子機器を載置するためのものである。最も単純な形状としては、特許文献１などと同様に平板を備えただけの棚状のものが該当するが、左右にも電子機器と同程度の高さの壁を設けた箱状のものなどであってもよい。また、載置部はアーム部と一体に成形されたものであってもよいし、アーム部に後から別部材を取り付けることによって形成したものであってもよい。
「アーム部下方」にはアーム部の懸架位置より下であればすべての位置が含まれるが、できるだけ床上のスペースを確保するためには、載置部より下までアーム部が伸びている必要は乏しいので、好適には載置部はアーム部の下端に配置される。もっとも、後述のように載置部は複数設けられていてもよいので、この場合には少なくとも最下端に設けられる載置部以外はアーム部の下端には配置されず、懸架位置とアーム部の下端の間に配置されることになる。
【００１８】
（載置部が複数段備えられる例）
以上では、載置部が一つだけ備えられている場合を中心に説明したが、載置部は一つに限られず複数備えられていてもよい。例えば、上下二段にわたって設けられた棚板などがこの場合に該当する。
図２は、本実施例のラックの形状の一例を示す概念図であって、載置部が複数設けられている例を示したものである。即ち、本図に示す薄型表示装置０２０１の支持装置０２２０に懸架されているラック０２１０は載置部０２１２を複数（本図の例では二個）備えている。このような複数の載置部を有するラックは初めから一体に成形されたものであってもよいし、載置部を後付けでアーム部に追加して取り付けることができるようになっていてもよい。
【００１９】
（懸架方法の一例）
次に、ラックの支持装置に対する懸架方法の一例について説明する。
図３は、本実施例におけるラックの支持装置に対する懸架方法の一例を示す図である。本図に示す例は、アーム部が鎖、針金などの紐状の部材からなり、この両端を載置部の両端に取り付けて、支持装置の最上端を形成する横フレームの上端部に回すようにして引っ掛けて吊り下げたものである。本図の例では電子機器０３０３は載置部０３１２の両端部に二個載置されているが、左右のバランスのとれた置き方であれば差支えなく、例えばアーム部をもう少し長くして薄型表示装置の下側に一個置くなどしてもよい。本例の特徴は、薄型表示装置を支持装置に取り付けた状態のままで、ラックを支持装置から着脱することが可能な点にある。薄型表示装置は近年さらに軽量化が図られているものの、例えば５２インチ型の薄型テレビジョン装置であれば３０ｋｇ程度、４６インチ型の薄型テレビジョン装置であれば２５ｋｇ程度の重量があることから、ラックを着脱するたびにそのために薄型表示装置を支持装置から着脱するのでは作業が煩雑である。この点、本例のラックによれば、こうした作業を楽に行うことが可能となる。
なお、本例のラックは、（ａ）に示したように、ラック全体が壁にぴったりとつくように設置することが可能である。この場合、壁を傷つけないという構成をさらに好適に実現するため、ラックの壁側に例えばフェルトなどの柔らかい素材を貼り付けるようにしてもよい。
【００２０】
図４は、本実施例におけるラックの支持装置に対する懸架方法の別の一例を示す図である。本図に示す例は、アーム部の先端に折り返された爪状部分を有し、支持装置に設けられた孔に当該部分を挿入して引っ掛ける方法である。
この方法の場合には、アーム部が壁を傷つけることがないように設置するために、支持装置の横フレームが壁から離れて設置されている部分の空間を利用してアーム部を取り付けるようにしているため、アーム自体は壁から離れて設置されることとなり、別の実施例で後述するような、アーム部が支持装置に懸架された状態で壁面にならうように懸架領域から壁にむかうように奥側に曲がっている構成をとらない限り、アーム部の下端部、即ち載置部のある部分も壁から離れた状態とならなければ載置部の水平を保つことが困難となる。そこで、ラックの載置部が水平状態を保ったまま安定させるために、例えば本図（ｂ）に示すような補助部材０４１１ｂを載置部の壁側に取り付け、これでラックの姿勢を保った状態で支えるようにしてもよい。さらに、当該補助部材を例えばラックへのねじ込み式とし、当該ねじを締めたりゆるめたりすることで補助部材の長さを適宜調節できるようにしてもよい（図示は省略したが、次の図５の場合も同様である）。なお、本図において支持装置の横フレーム０４２１上に現れている部材０４２１ａは、当該支持装置を壁に直接ねじ止めするためのねじの頭部である（次の図５における部材０５２１ａも同様である）。
【００２１】
図５は、本実施例におけるラックの支持装置に対する懸架方法のさらに別の一例を示す図である。本図に示す例は、アーム部を支持装置に直接ねじ止めにより取り付ける方法である。本図では、支持装置の横フレームが壁から離れて設置されている部分の空間を利用して、アーム部０５１１を壁まで達しないねじ０５１１ｃにて横フレーム０５２１に対してねじ止めすることで懸架している例が示されている。
なお、アーム部、載置部の素材には特に限定はないが、載置部に電子機器を載置した状態で水平を保てる素材であることが望ましく、例えば鋼製のものが考えられる。
【００２２】
（本実施例のラックの他の具体的実施例）
本実施例のラックは、典型的には一般家庭や事業所などの室内の壁に取り付けた壁掛け型のテレビジョン装置のような薄型表示装置の支持装置に備えられるものである。しかし、本実施例のラックの特徴を生かして、以下のような場所に設置することも考えられる。
例えば、大型家電量販店などにおいてエスカレータの脇に設けられた柱に壁掛け型の大型のモニター装置などの薄型表示装置を設置して、エスカレータを利用して昇降中の客に宣伝用の映像などが良く見えるようにしたものが設置されている例が見られるが、このような場合に本実施例のラックを当該薄型表示装置の支持装置に設置することは有効である。
図６は、本実施例のラックの具体的実施例を示す図である。このうち、（ａ）は、上述のようなエスカレータ脇の柱などに設けられた薄型表示装置への取付け例を示す。本図に示すように、薄型表示装置０６０１はかなり高い位置に、かつ複数設置される場合も多く、従来のラックでは壁の相当部分をラックの取り付けのために傷つけざるを得ないが、本実施例のラックによれば壁を傷つけることがないので、このような場合に顕著な効果を発揮することができる。また、別の実施例の中で後述するように、本実施例のラックも長さを調節することができるところ、本図のように載置部の位置を低くして電子機器を客から見えにくい位置に置くこともできる（従って本図には現れない）し、載置部の位置を高くして客がエスカレータと柱の間を通る時に邪魔にならないようにすることもできる。即ち、ラックが床に達しないように設置できるため、床を広く使うことも可能となり、このような柔軟な設計が可能となる。
【００２３】
また例えば、ビル内の和食レストランなどにおいて室内に設置された人工の池の上にせり出した壁に壁掛け型のモニター装置などの薄型表示装置を設置して、落ち着いた雰囲気を醸成する映像などを流している例が見られるが、このような場合にも本実施例のラックを当該薄型表示装置に設置することは有効である。
図６（ｂ）は、本実施例のラックの具体的実施例を示す図であって、かかる室内に設置された人工の池０６０７の上にせり出した壁０６０２に設けられた薄型表示装置０６０１への取付け例を示す（なお、本図ではラックの載置部０６１２が水面に映っている様子を示すことで、ラックが水面に達することなく水面から離れて設置されている状態を示した）。即ち、本実施例のラック０６１０は、床に達しないように設置できるため、床面を広く使いたい場合だけでなく、そもそも本例のように床面を使うことが物理的にできないような場合にも、何ら特殊な工事を施すことなく、通常の薄型表示装置に吊り下げるだけで簡単に設置することが可能となる。
【００２４】
<効果>
本実施例の発明により、薄型表示装置の関連機器である電子機器を載置するための部材を備えるラックであって、薄型表示装置を壁に支持するための装置に対して簡単に取り付けることができ、床面に接して設置する必要がないことで一層の省スペースを図ることができ、かつ薄型表示装置を壁面に取り付ける際にできるだけ壁に傷をつけないで済むラックを提供することが可能となる。
【実施例２】
【００２５】
<概要>
本実施例のラックは、実施例１のラックと基本的に共通するが、アーム部は断面が背面側に開放されたコの字形状を有する中空柱状をなし、前記中空柱状の内部に前記薄型表示装置と接続される電子機器の配線を収納可能に構成されている点に特徴がある。また、これに加えて、アーム部の表面側の前記載置部近くに前記配線を導出するための導出口を有するものも本実施例のラックに含まれる。本実施例の目的は、薄型表示装置と接続される電子機器の配線が外部から見えないようにすることで、薄型表示装置、支持装置およびラック全体の見栄えをよくすることにある。
【００２６】
<構成>
（ラック：アーム部、導出口）
図７は、本実施例のラックのアーム部の形状の一例を示す図である。このうち、（ａ）は、アーム部のうち載置部の近傍部分を背面側（支持装置に取り付けた際における壁側）から見た斜視図である。本図に示すように、アーム部０７１１は断面が背面側に開放されたコの字形状を有する中空柱状をなしている。この中空柱状はその内部に薄型表示装置と接続される電子機器の配線を収納可能に構成されている。また、本図に示すように、アーム部の表面側の載置部０７１２近くに当該配線を導出するための導出口０７１１ｄを有していてもよい。本図では、中空柱状および導出口の形状を見やすくするため配線の図示は省略したが、通例電子機器（図示を省略）の背面から伸びている配線は、例えば導出口を経由してアーム部の中空柱状の内部に導かれ、当該内部をアーム部に沿って這い上がる形で薄型表示装置に接続される。導出口が設けられていない場合は、電子機器から伸びている配線は、例えば電子機器の背後に隠れて見えない位置においてアーム部の側面から回り込む形で中空柱状の内部に導かれるようにすればよい。また、この場合に、かかる回り込みを容易に行えるようにアーム部の側面の一部に切り欠きを設けてもよい。
【００２７】
図７（ｂ）は、アーム部の垂直断面（アーム部の正面を略中央で前後方向に直交する線で垂直に切断した断面）を側面から見た図である。図中右上がり斜線で示した部分がアーム部０７１１の断面である。また、太線で示した部分が電子機器からの配線０７０８である。本図に示すように、電子機器０７０３の背面から伸びている配線が導出口０７１１ｄを経由してアーム部の中空柱状の内部に導かれ、当該内部をアーム部に沿って這い上がり、薄型表示装置（図示を省略）に接続される。アーム部の上方において配線が中空柱状の内部から外に出される部分においても、載置部近くの導出口と同様の導出口を設けてここを経由して配線を中空柱状の外部に出すようにしてもよいし、かかる導出口を設けずにアーム部の側面から回り込む形で中空形状の外部に導かれるようにしてもよい。後者の場合であっても、この付近は正面側に薄型表示装置が配置されており、配線は当該装置の背後に隠れて見えないようになっているため、見栄えを損なうことはない。
【００２８】
<効果>
本実施例の発明により、薄型表示装置と接続される電子機器の配線が外部から見えないようにすることで、薄型表示装置、支持装置およびラック全体の見栄えをよくすることが可能となる。
【実施例３】
【００２９】
<概要>
本実施例の表示装置は、実施例１または２の装置と基本的に共通するが、アーム部が支持装置に懸架された状態で壁面にならうように懸架領域から壁に向かうように奥側に曲がっている点に特徴を有する。本実施例の目的は、ラックが壁を傷つけることがない状態でラックの位置を安定させることにある。なお、本実施例は、実施例１で説明した構成（ラックと壁との間に隙間が空く場合と空かない場合の双方を含む）のうち、ラックと壁との間に隙間が空く場合に含まれる細部の実施例として位置づけられるものである。
【００３０】
<構成>
（アーム部：壁面にならうように壁に向かい奥側に曲がっている形状）
図８は、本実施例のラックのアーム部の形状の一例を示す図である。本図に示すように、本実施例のアーム部０８１１は、アーム部が支持装置（例えば横フレーム）０８２１に懸架された状態で壁面０８０２にならうように懸架領域から壁に向かうように奥側に曲がっている。このようにすることで、アーム部が壁に当たる部分が壁を傷つけることがないようにすることができ、ラックが壁を傷つけることがない状態でラックの位置を安定させることが可能となる。
【００３１】
<効果>
本実施例の発明により、ラックが壁を傷つけることがない状態でラックの位置を安定させることが可能となる。
【実施例４】
【００３２】
<概要>
本実施例の表示装置は、実施例１から３のいずれか一の装置と基本的に共通するが、アーム部が長さを調整するための長さ調整手段を有する点に特徴を有する。本実施例の目的は、壁や部屋などの状況に応じてラックのサイズや位置（特に下端位置）に柔軟性を持たせることを可能にすることにある。
【００３３】
<構成>
（アーム部：長さ調整手段）
本実施例のアーム部は「長さ調整手段」を有する。「長さ調整手段」は、アーム部の長さを調整し、もってラックの長さを調整するためのものである。
具体的な長さの調整のしくみは公知の方法（例えば、環状の継ぎ手を自在の長さに合わせた上でねじを利用して固定する方法など）を用いることが可能である。
【００３４】
<効果>
本実施例のラックにより、壁や部屋などの状況に応じてラックのサイズや位置（特に下端位置）に柔軟性を持たせることが可能となる。
【図１】
2011248034.tif 000003
【図２】
2011248034.tif 000004
【図３】
2011248034.tif 000005
【図４】
2011248034.tif 000006
【図５】
2011248034.tif 000007
【図６】
2011248034.tif 000008
【図７】
2011248034.tif 000009
【図８】
2011248034.tif 000010